(57)【特許請求の範囲】
【請求項１】
顧客が操作する表示操作部を有し媒体を用いて取引を行う自動取引装置であって、
媒体挿入口近傍に、所定の表示を行う表示手段と、該表示手段の表示内容を撮影する撮影手段とを設け、前記表示内容の情報と、前記撮影手段による前記表示内容の撮影画像を前記表示操作部に表示するようにしたことを特徴とする自動取引装置。
【請求項２】
前記撮影手段は、前記媒体挿入口と前記表示手段が同時に写りこむ位置に配置され、
前記媒体挿入口と前記表示内容の撮影画像を一画像として撮影することを特徴とする請求項１記載の自動取引装置。
【請求項３】
前記表示手段の表示内容の情報は、所定の文字または画像で示されることを特徴とする請求項１記載の自動取引装置。
【請求項４】
顧客が装置前面に立ったことを検知すると、前記表示手段が前記表示内容を表示し、前記撮影手段は該表示内容を撮影することを特徴とする請求項１または２記載の自動取引装置。
【発明の詳細な説明】
【技術分野】
【０００１】
本発明は、カード等の媒体を用いて取引を行う自動取引装置において、当該媒体に記録された情報の不正読み取りを防止する技術に関するものである。
【背景技術】
【０００２】
従来、この種の装置では、カードに記録された情報を不正に読み取るための読取装置を不正改造によってカード挿入口に取付けられる場合を想定して、自動取引装置の上部の顧客側に張り出したカメラ設置パネルにカメラを備え、顧客や自動取引装置の操作面を撮影し、顧客の取引の進行に従ってカメラを首振りさせて撮影対象を変えて不信行為や不審物を検知する技術、画像の差分を抽出して不正改造があったかどうかの検出を行う技術があった（例えば、特許文献１参照）。
【０００３】
また、図７の自動取引装置１の断面図に示したように、カード処理部２１のカード挿入口６の近傍に発光素子１０と受光素子１１を設け、カード挿入口６近傍に不正読取装置２ｘが取付けられていないかどうかを検出する技術はあった。
【先行技術文献】
【特許文献】
【０００４】
【特許文献１】特開２００８−３８７４号公報
【発明の概要】
【発明が解決しようとする課題】
【０００５】
しかしながら、上記従来の特許文献１の不正読取防止技術では、カメラを駆動する機構や画像の差分を検出する複雑な処理が必要であり、コストアップの要因となっていた。また、画像の差分から不審物を自動検出しない場合では、常時、画像を監視員が監視しなければならないという問題があった。
【０００６】
また、カード挿入口６近傍に不正読取装置２ｘが取付けられたことをセンサにより検出する技術では、図８のように受光素子、発光素子間に孔２ｚを設けた不正読取装置２ｘが取付けられたり、図９のように光軸を光通路のようなもので曲げられた不正読取装置２ｘが取付けられたりすると、正常のときと同様、矢印Ｙのように発光素子１０の光が受光素子１１に到達してしまい、不正読取装置２ｘが取付けられたことを検出することができないという問題があった。
【課題を解決するための手段】
【０００７】
本発明は、前述の課題を解決するため次の手段を採用する。すなわち、顧客が操作する表示操作部を有し媒体を用いて取引を行う自動取引装置であって、媒体挿入口近傍に、所定の表示を行う表示手段と、当該表示手段に対向して画像取得手段を備え、前前記表示手段の表示内容と記画像取得手段による取得画像を前記表示操作部に表示するようにした。
【発明の効果】
【０００８】
本発明の自動取引装置の電源制御システムによれば、顧客が操作する表示操作部を有し媒体を用いて取引を行う自動取引装置であって、媒体挿入口近傍に、所定の表示を行う表示手段と、当該表示手段に対向して画像取得手段を備え、前記表示手段の表示内容と前記画像取得手段による取得画像を前記表示操作部に表示するようにしたので、簡単な構成でかつ監視員による監視も不要で、確実に前記媒体の不正読取りを防止することができる。
【図面の簡単な説明】
【０００９】
【図１】実施例１の自動取引装置の概観斜視図である。
【図２】実施例１の自動取引装置の制御系ブロック図である。
【図３】実施例１の自動取引装置の構成図である。
【図４】実施例１の自動取引装置の表示操作部の表示画面例である。
【図５】実施例１の自動取引装置の表示操作部の表示画面例である。
【図６】実施例１の自動取引装置のカメラ部による取得画像例である。
【図７】従来の自動取引装置の構成図（断面図）である。
【図８】従来の自動取引装置における不正読取りの説明図である。
【図９】従来の自動取引装置における不正読取りの説明図である。
【発明を実施するための形態】
【００１０】
以下、本発明に係わる実施の形態例を、図面を用いて説明する。図面に共通する要素には同一の符号を付す。
【実施例１】
【００１１】
（構成）
（自動取引装置の外観構成）
実施例１の自動取引装置１は、図１のような外観をしており、硬貨入出金口２、紙幣入出金口３、表示操作部４、通帳挿入口５、カード挿入口６を備えている。
【００１２】
そして、紙幣入出金口３は、紙幣が投入されるとともに、紙幣が排出される開口部である。紙幣入出金口３には、シャッタが設けられシャッタが駆動されることにより紙幣入出金口３が開閉される。
【００１３】
カード挿入口６は、カードを用いて取引を行う場合、当該カードがここから挿入され、取引が終了するとここから排出される。通帳挿入口５は、取引で使用される通帳がここから挿入され、取引が終了するとここから排出される。また、硬貨入出金口２は、硬貨が投入または排出される開口部である。
【００１４】
そして、紙幣入出金口３の奥部には、後述の紙幣の入出金処理を行う紙幣処理部２６が設けられており、カード挿入口６の奥部には、後述のカード処理部２１が設けられている。
【００１５】
また、硬貨入出金口２の奥部には、硬貨の入出金処理を行う後述の硬貨処理部２５が設けられており、通帳挿入出口５の奥部には、後述の通帳処理部２３が設けられている。
【００１６】
表示操作部４は、ＬＣＤ等の上に透明タッチパネルを積層して構成され、操作ガイダンス等が表示され、当該ガイダンスに従い顧客が各種の入力操作を行なうものである。
【００１７】
（自動取引装置の内部構成）
実施例１の自動取引装置の内部は、図２に示したように、後述する各部の制御を行う主制御部２０と、前述の表示操作部として機能する表示操作部４と、キャッシュカード等に記録された情報のリードライトを行うカード処理部２１と、音声やブザーによりガイダンスを出力する音声案内部２２と、通帳の磁気ストライプのリードライトおよび通帳への印字制御を行う通帳処理部２３と、取引内容の明細票を印字して出力する明細票処理部２４と、図示しない硬貨入出金金庫や硬貨装填庫を備え硬貨の入出金制御を行う硬貨処理部２５と、図示しない紙幣入出金金庫や紙幣装填庫を備え紙幣の入出金制御を行う紙幣処理部２６と、からなる。
【００１８】
さらに、各部に電源を供給する電源部２７と、主制御部２０の記憶部として機能しプログラムや制御パラメータなどを記憶するメモリ部２８と、図示しないホストコンピュータとのインタフェイスを制御するインタフェイス部２９を有する。
【００１９】
図３は、図１のＡ−Ａ断面を示している。同図に示したように実施例１の自動取引装置は、カード処理部２１の前面側のカード挿入口６の上下にはＬＣＤ等からなる表示手段としての表示パネル３２と、これに対向して画像取得手段としてのカメラ部３１を配置した構成となっている。
【００２０】
ここで、カメラ部３１の画角は、カード挿入口６と表示パネル３２が同時に映りこむように配置し、後述の図４のように、カメラ部３１に映ったカード挿入口６と表示パネル３２を表示操作部４に表示するようにする。
【００２１】
なお、カメラ部３１の設置角度はカード挿入口６の前端と表示パネル３２の文字表示エリアの下端との隙間を少なくするようにすれば、文字を隠さずに不正読取装置２ｘを設置できるエリアが少なくなるので、不正改造を検出しやすくなる。
【００２２】
（動作）
以上の構成により実施例１の自動取引装置は、以下のように動作する。この動作を図４〜図６の表示操作部４の表示画面例を用いて以下説明する。なお、以下の例では、表示パネル３２に"ＡＢＣＤＥ"の文字を表示した例として説明するが、その他の文字でもよいし、イメージ画像などを表示するようにしてもよい。
【００２３】
まず、顧客が自動取引装置１の前に立つと自動取引装置１は、図４に示したように、表示操作部４に、カメラ部３１にて取得した画像１００ｇと、表示パネル３２に表示した文字列情報と、案内文１００ｃを表示する。
【００２４】
案内文１００ｃとしては、例えば、「左の画面に上記文字が正しく見えているか確認してください。異なった表示または表示されていない場合は、不正読取装置２ｘなどが取り付けられている可能性があります。係員をお呼びください。」といった案内文を表示する。
【００２５】
そして、その案内文１００ｃの下側に、表示パネル３２に表示した文字列とカメラ部３１にて取得した画像１００ｇとの比較結果を入力する比較結果入力手段としての、正しく表示されている場合に押下するボタン１００ａと、異なった表示がされた場合に押下するボタン１００ｂを表示する。
【００２６】
すると、顧客は、前記案内文にしたがって画面１００ｇを確認し、「正しく表示されている」のボタン１００ａまたは「異なる表示／見えない」のボタン１００ｂのどちらかを押下する。
【００２７】
自動取引装置１は、これらの操作を検知し、「正しく表示されている」のボタン１００ａが押下された場合は取引操作を継続し、「異なる表示／見えない」のボタン１００ｂが押下された場合は、図５の画面を表示して処理を中止して、係員を呼び出すようにする。このとき、音声ガイダンス等により係員を呼ぶように案内するとなおよい。
【００２８】
ところで、カメラ部３１にて取得した画像１００ｇは、図８のような孔が空いた不正読取装置２ｘが取付けられたときは図６（ａ）のような画像となり、図９のような光軸を曲げられた場合は、図６（ｂ）のような画像となるので、顧客は、「異なった表示または見えない」と容易に判断することができる。
【００２９】
なお、表示パネル３２への表示内容は、取引毎など任意のタイミングで変えるようにすれば、表示内容を真似ることが困難となるので、不正読取装置２ｘの取付けをさらに確実に防止することができる。
【００３０】
また、以上の実施例の説明では、カード挿入口６に取付けられる不正読取装置２ｘの検出について説明したが、通帳挿入口５に不正読取装置が取付けられ通帳に記録された情報を不正に読み取られることを防止する場合にも、本発明を容易に適用できる。
【００３１】
（実施例１の効果）
以上のように、実施例１の自動取引装置によれば、媒体挿入口近傍に所定の表示を行う表示手段と、当該表示手段に対向して画像取得手段を備え、前記表示手段の表示内容と前記画像取得手段による取得画像を前記表示操作部に表示するようにしたので、簡単な構成でかつ監視員による監視も不要で、確実に前記媒体の不正読取りを防止することができる。
【産業上の利用可能性】
【００３２】
以上述べたように、本発明は、カード等の媒体により取引を行う現金自動預払機などの自動取引装置に広く利用することができる。
【符号の説明】
【００３３】
１    自動取引装置
２ｘ  不正読取装置
４    表示操作部
５    通帳挿入口
６    カード挿入口
２０  主制御部
２１  カード処理部
２２  音声案内部
２３  通帳処理部
２８  メモリ部
３１  カメラ部
３２  表示パネル
６ａ  カード挿入口の画像
３２ａ  表示パネルの画像
【図１】
0005597983.tif 000002
【図２】
0005597983.tif 000003
【図３】
0005597983.tif 000004
【図４】
0005597983.tif 000005
【図５】
0005597983.tif 000006
【図６】
0005597983.tif 000007
【図７】
0005597983.tif 000008
【図８】
0005597983.tif 000009
【図９】
0005597983.tif 000010